(57)【要約】      （修正有）【課題】非接触ホーゼルを形成するようにクラブヘッドに作業的に接続した少なくとも二つのインサートをもつゴルフクラブヘッドを提供する。【解決手段】ゴルフクラブシャフト１０４をゴルフクラブヘッド１０３に取付ける非接触ホーゼルを有する。中空シャフト受け部すなわちホーゼルを形成するのに二つのインサート１０１，１０２が用いられる。二つのインサート１０１，１０２はクラブヘッドの実質的に対向した部分に配置される。インサート１０１，１０２の配置は、ゴルフクラブのライ角又はロフト角を変えるために操作される。別では、非接触ホーゼルを形成するために二つのインサートが結合されるか又は多数のインサートが用いられる。【選択図】図１
2004305747.tif 000002
【特許請求の範囲】
【請求項１】
フェース、ネック、クラウン及びソールをもつ本体から成るクラブヘッドと；
細長いクラブシャフトと；
上記クラブシャフトを通すように上記クラブヘッドの第１の部分に作業的に接続し、第１の質量をもつ第１のインサートと；
上記クラブシャフトを通すように上記クラブヘッドの第２の部分に作業的に接続し、第２の質量をもつ第２のインサートと；
を有し、
上記第２の質量と上記第１の質量との比が１０：１から３：１の範囲にあること
を特徴とするゴルフクラブ。
【請求項２】
上記第１、第２のインサートが、上記クラブヘッドを貫通する上記ゴルフクラブシャフトの予定の部分のみカバーする非接触ホーゼルを形成している請求項１記載のゴルフクラブ。
【請求項３】
上記第１、第２のインサートが、選択可能なライ角で上記クラブシャフトを通させるようにした請求項１記載のゴルフクラブ。
【請求項４】
上記第１、第２のインサートが、選択可能なロフト角で上記クラブシャフトを通させるようにした請求項１記載のゴルフクラブ。
【請求項５】
上記第１、第２のインサートが、シャフト受け部を形成するのに必要な実質的に最少量の材料でホーゼルを形成する請求項１記載のゴルフクラブ。
【請求項６】
上記クラブヘッドの第１の部分が上記クラブヘッドの予定のクラウン部分から成っている請求項１記載のゴルフクラブ。
【請求項７】
上記クラブヘッドの第２の部分が上記クラブヘッドの予定のソール部分から成っている請求項１記載のゴルフクラブ。
【請求項８】
上記第１、第２のインサートが重合体、金属、合金及びプラスチックの一つで形成されている請求項１記載のゴルフクラブ。
【請求項９】
上記第１、第２のインサートがセルロース、ガラス充填ＡＢＳ、黒鉛、チタン、アルミニウム、又は熱可塑性樹脂の少なくとも一つで形成されている請求項１記載のゴルフクラブ。
【請求項１０】
上記第１、第２のインサートが実質的に同じ材料で形成されている請求項１記載のゴルフクラブ。
【請求項１１】
上記第１、第２のインサートが実質的に異なる材料で形成されている請求項１記載のゴルフクラブ。
【請求項１２】
上記第１、第２のインサートが上記クラブヘッドに接着剤で接合されている請求項１記載のゴルフクラブ。
【請求項１３】
上記クラブシャフトが上記第１、第２のインサートに接着剤で接合されている請求項１記載のゴルフクラブ。
【請求項１４】
フェース、ネック、クラウン及びソールをもつ本体から成るクラブヘッドと；
クラブシャフトの受け部を形成するように上記本体に作業的に接続した第１及び第２のインサートと；
を有し、
上記第１及び第２のインサートが、上記クラブシャフトの予定の部分のみをカバーする非接触受け部を形成し、また
上記第２のインサートが上記第１及び第２のインサートの総重量の５０％以上であること
を特徴とするゴルフクラブ。
【請求項１５】
上記第１、第２のインサートが、選択可能なライ角で上記クラブシャフトを通させるようにした請求項１４記載のゴルフクラブ。
【請求項１６】
上記第１、第２のインサートが、選択可能なロフト角で上記クラブシャフトを通させるようにした請求項１４記載のゴルフクラブ。
【請求項１７】
上記第１、第２のインサートが、シャフト受け部を形成するのに必要な実質的に最少量の材料でホーゼルを形成する請求項１４記載のゴルフクラブ。
【請求項１８】
上記第１、第２のインサートが上記クラブヘッドに接着剤で接合されている請求項１４記載のゴルフクラブ。
【請求項１９】
上記クラブシャフトが上記第１、第２のインサートに接着剤で接合されている請求項１４記載のゴルフクラブ。
【請求項２０】
フェース、ネック、クラウン及びソールをもつ本体から成るクラブヘッドと；
非接触ホーゼルを形成するように、上記本体の予定の部分に作業的に接続した少なくとも二つのインサートと；
上記インサートの各々を通るように形状及び寸法が決められた細長いクラブシャフトと；
を有し、
上記第２の質量と上記第１の質量との比が少なくとも２：１であること
を特徴とするゴルフクラブ。
【請求項２１】
さらに、絶縁材料を有する請求項２０記載のゴルフクラブ。
【請求項２２】
上記絶縁材料が上記クラブヘッドの予定の部分をカバーしている請求項２０記載のゴルフクラブ。
【請求項２３】
上記インサートが、
同様な長さ；及び
異なる長さ
の一つをもっている請求項２０記載のゴルフクラブ。
【請求項２４】
上記インサートが、
同様な厚さ；及び
異なる厚さ
の一つをもっている請求項２０記載のゴルフクラブ。
【請求項２５】
上記インサートが穿孔を備えている請求項２０記載のゴルフクラブ。
【発明の詳細な説明】
【技術分野】
【０００１】
本発明は、選択可能なロフト及びライ角をもつゴルフクラブに関するものである。より詳細には、本発明は、クラブヘッドにシャフト受け部を形成する少なくとも二ピース非接触ホーゼルを使用するゴルフクラブヘッドに関するものである。
【背景技術】
【０００２】
ゴルフクラブ製造業者は、ゴルフプレーヤーの成績を改善するという主な目的でゴルフクラプのデザインを絶えず変えている。製造業者は、身長、腕の長さ及び敏捷さのような広範囲の物理的特性をもつプレーヤーの要求に合うようにゴルフクラブを設計しなければならない。さらに、製造業者は、異なるシャフト長さ、ヘッド設計、ヘッドのウエイト分布又はヘッドとシャフトの成す角度及び変位を変えてクラブを使用するのが好ましい同様な特性をもつプレーヤーに合うようにできなければならない。
【０００３】
製造業者は、最適正確さ及び距離をもたらすようにクラブ設計をしながら個々のゴルファーの好みを合わせなければならない。これは特に、ドライバーやフェアウエイウッドのようなウッド型のクラブの場合にあてはまる。技術の進歩により、製造業者はウッドヘッドをメタルに代えることができた。その結果、クラブは“メタルウッド”と呼ばれるようになった。典型的なメタルウッドゴルフクラブは、中空金属殻体から成るヘッドを備えている。
【０００４】
これらのような設計では、ゴルフクラブのシャフトは、クラブのヘッドに形成されるホーゼル内に挿入される。中空金属殻体では、製造業者は予定の領域に付加的な材料を加えることによりヘッドのウエイト分布を変えることができる。
【０００５】
製造業者は、ヘッドのウエイト分布を変えることによってメタルウッドの距離及び正確さを改善する重要な手段に貢献してきた。例えば、クラブヘッドの質量中心を通る垂直軸線のまわりで回転するクラブヘッドの抵抗は正確さに影響する。ヘッドのウエイト分布を変えることにより、質量の中心はクラブの正確さを最大化するために操作される。
【０００６】
殻部ヘッドのホーゼルすなわちシャフト受け部はクラブヘッドのウエイト分布に相当に影響する。典型的には、ホーゼルはクラブヘッドのフェースの近くに作られる。多くの最近の設計では、クラブのヘッドを通る中実ホーゼルが用いられている。クラブのロフト角及びライ角は種々の方法を用いて操作される。例えば、クラブ製造業者のほとんどはホーゼル内に配置されるインサートを用いている。クラブのシャフトはインサートを通り、適当な位置に固定される。しかし、クラブヘッド内にシャフトを挿入するこの方法は、ヘッドのフェース近くに相当量のウエイトを配分することになる。ホーゼルのウエイトは、製造業者がクラブヘッドにウエイトを最適に分配する能力を制限する。
【０００７】
クラブヘッドのウエイト分布における影響を最少化しながらクラブヘッドにクラブシャフトを取付けできる装置の継続した要求が存在する。
【発明の開示】
【発明が解決しようとする課題】
【０００８】
本発明は一般的には、非接触ホーゼルを形成するようにクラブヘッドに作業的に接続した少なくとも二つのインサートをもつゴルフクラブヘッドを提供することにある。
【課題を解決するための手段】
【０００９】
クラブのシャフトは、非接触ホーゼル内に挿入することによってクラブヘッドに固着される。本発明の一つの実施の形態では、第１のインサートはクラブヘッドの第１の部分に作業的に接続され、また第２のインサートはクラブヘッドの第２の部分に作業的に接続される。好ましい実施の形態では第１及び第２のホーゼルインサートはクラブヘッドの実質的に反対位置に配置される。
【００１０】
本発明の一つの実施の形態においては、第１及び第２のインサートはクラブヘッドを通るゴルフクラブシャフトの予定の部分のみをカバーする非接触ホーゼルを形成する。種々のライ角及びロフト角を達成するために、製造中に種々の組のインサートがクラブヘッドに相互に交換可能に接続される。従って、一つの実施の形態では、第１及び第２のインサートはクラブシャフトを選択可能なライ角で通すことができ、一方、異なるライ角を得るために異なる組のインサートが選択される。同様に、本発明の別の実施の形態では、異なる組の第１及び第２のインサートを選択することにより、クラブヘッドのロフト角を選択することができる。
【００１１】
好ましくは、第１、第２のインサートは、シャフト受け部を形成するのに必要な実質的に最少量の材料でホーゼルを形成する。ホーゼルインサートは任意の適当な材料で構成される。例えば、インサートの一つ以上は、ポリマー、金属又は合金から成る。一つの実施の形態では、一つ以上のホーゼルインサートは、セルロース、ガラス充填ＡＢＳ、黒鉛、チタン、アルミニウム、又は熱可塑性樹脂材料の少なくとも一つで形成されている。ホーゼルインサートは互いに異なる材料で形成されるが、選択した第１及び第２のホーゼルインサートは実質的に同様な材料から成るのが好ましい。
【００１２】
本発明の一つの実施の形態では、第１のホーゼルインサートの位置はクラブヘッドの予定のクラウン部分であるが、別の実施の形態では、第２のホーゼルインサートの位置はクラブヘッドの予定のソール部分である。
【００１３】
一度、第１、第２のホーゼルインサートが選択されると、第１、第２のホーゼルインサートはクラブヘッドに作業的に接続される。クラブヘッドへのホーゼルインサートの接続は、接着剤、干渉嵌め、ファスナー又は同様な手段によるような任意適当な仕方で実施される。シャフトはホーゼルインサートの孔又は貫通穴を通して挿入され、そしてクラブヘッドに固定される。
【００１４】
クラブヘッドへのシャフトの固定は、ホーゼルインサートの一方又は両方にシャフトを作業的に接続することによるような任意適当な仕方で行われる。シャフトは、例えば接着剤、干渉嵌め、ファスナー又は同様な手段を用いることによりホーゼルインサートに接続される。別の実施の形態では、シャフトはホーゼルインサートの代わりにクラブヘッドに直接固定される。
【００１５】
本発明の他の及び別の実施の形態及び変形例は、本発明の種々の特徴を例示する以下の説明、図面及び特許請求の範囲から明らかとなる。
【発明を実施するための最良の形態】
【００１６】
図１及び図２を参照すると、本発明の実施の形態によるメタルウッドゴルフクラブが示されている。本発明のこの実施の形態では、クラブヘッドに非接触ホーゼルを形成するため二つのインサートが組み合わされる。ゴルフクラブは、主本体部分、フェース部分及びネック部分を備えたヘッドを有している。ある幾つかの実施の形態では、フェース部分は切り込みを備えることができる。ヘッドはまたクラウン部分、ソール部分、トウ端部及びヒール端部を有する。ヘッドはホーゼルでシャフトの取付け端部に接合される。
【００１７】
本発明は、メタルウッドヘッド、フェアウエイメタルウッド、中空アイアンなどのような任意形式のクラブヘッドに用いることができる。クラブヘッドは当業者に知られた任意の手段で形成される。例えば、クラブヘッドの複数の部分は、鋳造、鍛造、型押、又は成形構成要素で形成される。ヘッドは好ましくは、チタンのような金属で形成される。好ましい実施の形態では、クラブヘッドのフェース部分は１０−２−３（Ｔｉ−１０％Ｖ−２％Ｆｅ−３％Ａｌ）又は１５−３−３−３（Ｔｉ−１５％Ｖ−３％Ｃｒ−３％Ｓｎ−３％Ａｌ）のような高力鍛造チタン合金で鍛造されるか、又は巻取りシート材で型押しされる。代わりに、フェース部分は鋳造される。主本体部分はフェース部分のチタン合金と異なるチタン合金で、好ましくは６−４合金（Ｔｉ−６％Ａｌ−４％Ｖ）を鋳造することによって作られる。
【００１８】
別の実施の形態においては、ステンレス鋼及びアルミニウムのような他の鍛造及び鋳造合金が用いられる。フェース部分を型押又は鍛造で形成することによって、フェース部分は薄くできるが、なお破損なしにゴルフボールによる繰返し衝撃に十分に耐える強度をもつことができる。そして、所望の機械的性能規格を維持しつつフェース部分をできるだけ薄く形成することによって、クラブヘッドの他の部分へウエイトを再分配することができる。
【００１９】
クラブヘッドは、第１及び第２のホーゼルインサートを説明したように受けることのできる様な形態にされる。好ましくは、この形態により、種々のインサートの選択によりクラブヘッドのロフト角及び（又は）ライ角の許容範囲を可変にするために、種々のインサートをクラブヘッドに作業的に接続できる。このようにして、第１及び第２のホーゼルインサートは、所望のライ角およびロフト角を得るように多数のインサートから選択される。こうして一度選択すると、インサートはクラブヘッドに作業的に接続される。
【００２０】
好ましくは、インサートはクラブヘッドの対向した位置に配置される。図１に示すように、例えば、インサートの一つ２０はクラブヘッドの頂部分に配置され、他方のインサート２２は下方ヘッド部分に配置され、これらのインサートは実質的に対向した位置に位置決めされる。ゴルフクラブのシャフトがクラブヘッド２４を貫通し固定されるように二つの対向した部位が選択される。クラブヘッド２４における二つの対向した部位は例えば、クラブヘッド１０３のクラウン及びソール、好ましくはヘッド及びクラブフェース近くの予定の部位である。
【００２１】
インサートが位置決めされると、クラブシャフト１０４はクラブヘッドに挿入され、固定される。クラブシャフト１０４は、予定の角度で各インサート１０１−１０２における孔すなわち貫通穴に通される。二つのインサート１０１−１０２の位置及び挿入角度は例えば所望のロフト角又はライ角を得るため変えられる。しかし、一層好ましくは、シャフトの配置されるインサートにおける孔は、インサートの位置を変えることなく、ライ角及びロフト角を調整できるように角度付け又は動かされ得る。
【００２２】
例示した実施の形態では、二つのインサート１０１−１０２はクラブシャフト１０４の中空受け部を形成する。図１に示す実施の形態では、インサートは、クラブヘッド１０３の内側のクラブシャフト１０４の実質的に最少の量をカバーする。これにより、例えば、ホーゼルを形成するのに必要なウエイトの量は低減できる。インサート１０１−１０２は、クラブシャフト１０４を適切に保持するのに必要な実質的に最少量の材料で形成される。ホーゼルを形成するのに用いた材料の量は、ゴルフボールによる繰返し衝撃にもかかわらずクラブシャフト１０４を適切に保持できる必要がある。
【００２３】
インサートを形成するのに用いられるべき材料の適切な量を決める際に考慮すべきファクターは、クラブの有効寿命を通してクラブシャフトを固定位置に維持するのに必要なインサート１０１−１０２の強度、インサートを形成するのに選択した材料、ホーゼル構造、ホーゼルインサートをクラブヘッドに接続する仕方、及びシャフトをホーゼルインサートに接続する仕方を含む。例えば、インサート１０１−１０２が金属又は高力合金のような強い材料で形成される場合に、必要な材料の量は、ホーゼルインサートをプラスチックで形成する場合に必要な量より少なくできる。逆に、インサート１０１−１０２を比較的弱い材料、例えばプラスチックで形成する応用例では、インサート１０１−１０２を形成するのに必要な材料の量は増加する。
【００２４】
インサートを形成するのに用いる材料の量及び種類は、クラブヘッド１０３における材料の分配を変えるように選択される。一つの実施の形態では、インサート１０１−１０２を製造するのに用いる材料の質量比は変えられる。質量比は、容積、ウエイト分布、重心又は比重を含むクラブ特性を変えることができる。好ましくは、底部インサート１０２対頂部インサート１０１の質量費は２：１〜１．５：１の範囲である。一層好ましくは、質量費は３：１〜２：１の範囲である。最も好ましくは、質量費は５：１〜３：１の範囲である。
【００２５】
他の実施の形態では、二つのインサート１０１−１０２の質量は、インサート１０１−１０２の総重量分布を変えることができる。好ましい実施の形態では、下方インサート１０２に総重量分布の高い割合をもたせるのが好ましい。別の実施の形態では、上方インサート１０１にインサート１０１−１０２の総重量分布の高い割合をもたせるのが好ましい。好ましくは、下方インサート１０２はインサート１０１−１０２の総重量の約３０％〜約４０％の範囲である。一層好ましくは、インサート１０２は総重量の約４０％〜約５０％の範囲である。一層好ましくは、インサート１０２は総重量の約５０％〜約６０％の範囲である。
【００２６】
インサート１０１−１０２の質量又は重量は種々の仕方で変えられる。一つの実施の形態では、各インサート１０１−１０２の長さを変えることができる。かかる実施の形態においては、インサート１０１−１０２の厚さは同じでもよい。各インサート１０１−１０２の長さを変えることは、長い方のインサートについて材料が多くなり、重量が増えることになる。別の実施の形態では、インサート１０１−１０２の長さは同じにでき、そして各インサート１０１−１０２の厚さは変えられる。各インサート１０１−１０２の厚さを変えることにより、インサートの重量を増減できる。他の実施の形態では、各インサート１０１−１０２の厚さ及び長さは異なる。かかる実施の形態においては、各インサート１０１−１０２の厚さ及び長さはインサート１０１−１０２の総重量分布の割合を変えるように変更できる。他の実施の形態では、厚さ及び長さはインサート１０１−１０２の質量比を変えるために変更できる。
【００２７】
別の実施の形態では、インサート１０１−１０２は異なる材料から成る。インサート１０１−１０２の重量分布は、各インサート１０１−１０２に異なる材料を用いることによって変更できる。例えば、クラブの質量の中心を下げるために、下方インサート１０２を作るのに比較的重い材料を用いることができる。かかる実施の形態においては、インサートは同じ長さ及び厚さをもつ。上方インサート１０１に比較的軽い材料を用いることによって、下方インサート１０２をインサート１０１−１０２の総重量の低い割合にすることができる。
【００２８】
別の実施の形態では、インサート１０１−１０２を作るのに用いる材料の種類は、インサート１０１−１０２の総質量の所望の比に基いて決められる。かかる実施の形態においては、インサート１０１−１０２の質量比を変えるために比較的重くて密度の高い材料が用いられる。他の実施の形態では、インサートの長さ及び厚さを変えることができる。長さ及び厚さは、インサート１０１−１０２を作るのに用いる材料の種類に従って変更される。当業者に知られた任意の材料が用いられる。材料としては、プラスチック、金属、合金、合成材料又はそれらの任意の組合せが含まれる。
【００２９】
本発明の例示する実施の形態では、インサート１０１−１０２の重量分布又は質量比は、インサート１０１−１０２の一方又は両方に穿孔することにより変更される。穿孔は任意所望のサイズ又は形状のものである。かかる実施の形態においては、各インサート１０１−１０２の長さ、厚さ及び材料は上述のように同じでも異なってもよい。穿孔は、製造したインサート１０１−１０２の標準セットを多数のゴルフクラブに用いる状況において有効である。異なるゴルフクラブは異なる質量比又は異なる重量分布を必要とする。かかる状況においては、インサート１０１−１０２の一方又は両方に穿孔することにより、製造業者は特定の形式のクラブに用いるために標準インサートを変えることができる。
【００３０】
別の例示した実施の形態では、インサート１０１−１０２の一方又は両方と共に絶縁材料が用いられる。一つの実施の形態では、絶縁材料は振動減衰機構として機能する。絶縁材料は、クラブヘッド１０３内に挿入される部分のようなシャフト１０４の部分に取付けられる。別の実施の形態では、絶縁材料は、各インサート１０１−１０２の内方部分に配置される。絶縁材料は、インサート１０１−１０２を越えてクラブシャフト１０４に沿って予定の量のびることができる。かかる実施の形態においては、絶縁材料は、クラブヘッド１０３の内側に位置するシャフト１０４の部分を完全にはカバーしなくてもよい。別の実施の形態では、絶縁材料は、クラブヘッド１０３内に挿入されないクラブシャフトの部分を含めてクラブシャフト１０４の全て又は一部に沿ってのびることができる。絶縁材料は、当業者に知られた任意の材料から成る。クラブシャフトに絶縁材料を施す一つの方法はＴａｋｅの米国特許第５，５７５，７２３号に開示されており、該米国特許は本明細書に参照文献として結合される。
【００３１】
第２の例示した実施の形態では、本発明は、互いに接合される二つの非連続インサートを有する。この実施の形態は図２に示される。この実施の形態では、インサートは、例えばクラブヘッド２０３の上方ヒール部分から例えばクラブヘッド２０３の下方ヒール部分までのびる。この実施の形態では、インサートは、図１に関して説明したようにシャフトを受ける中空部を形成する二つの開口を備える。第１の開口は、例えばクラブヘッド１０３の上方ヒール部分に配置される。第２の開口は、例えばクラブヘッド１０３の下方ヒール部分に配置される。開口の位置は第１の実施の形態に関して説明した開口の位置と同じである。
【００３２】
第２の実施の形態では、開口は、実質的に互いに対向して配置され、シャフト２０５をクラブヘッド２０３に接続するように作用する。しかし、第２の実施の形態では、二つのインサートは好ましくは互いに結合される。この実施の形態においては、二つのインサートを互いに結合する部分は例えばクラブヘッド２０３の壁部分２０４に代えることができる。第２の例示した実施の形態では、二つのインサートを互いに結合する部分は図２に示すクラブヘッド２０３の壁部分２０４に限定されるものではない。二つのインサートを互いに結合する部分はクラブヘッド２０３の任意の壁部分に代えることができる。この実施の形態は多くの応用において、例えば二つの別個のインサートを製造したりそれらのトラックを保つことが望ましくない場合に用いることができる。
【００３３】
代わりの実施の形態においては、非接触ホーゼルを形成するために二つ以上のインサートを用いることができる。例えば、ある幾つかの応用例では、クラブヘッド２０３に挿入されるクラブシャフトの中間部分に支持部材を設けるのが望ましい。本発明は、多数の非接触インサートを含む複数の実施の形態を包含する。多数の非接触インサートを含む複数の実施の形態では、インサートの配置はなお実質的に中空のホーゼルを形成すべきである。図１及び図２に関して説明したように、インサートは、ゴルフボールによる繰返し衝撃にもかかわらずクラブヘッド２０３に取付けられたシャフト２０５を保持するために必要なクラブシャフト２０５の実質的に最少部分をカバーすべきである。
【００３４】
インサート１０１−１０２は任意の材料、例えばプラスチック、金属又は合金で形成することができる。例えば、インサートは、重合体、セルロース、ガラス充填ＡＢＳ、黒鉛、熱可塑性樹脂又は熱硬化性樹脂材料、チタン、又はアルミニウムで形成される。図１の実施の形態では、各インサート１０１−１０２は実質的に同じ材料で形成される。代わりに異なる材料で形成される。当業者には認められるように、インサート１０１−１０２の一方又は両方の組成は特殊な応用に合わせて変更できる。例えば、インサート１０１−１０２を形成するのに用いる材料はホーゼルの強度を変えるために選択でき、又はクラブヘッド１０３のウエイト分布を変更する手段として選択できる。
【００３５】
本発明の図１の実施の形態では、ゴルフクラブヘッド１０３は二つのインサート１０１−１０２の収容部を形成するように製造される。この実施の形態では、インサート１０１−１０２は対で製造される。各対のインサート１０１−１０２は、シャフトを配置する開口すなわち孔を形成し、所与ライ角又はロフト角をもたらすことになる。他の実施の形態では、各対のインサート１０１−１０２はライ角とロフト角との組合せに合わせて製造できる。好ましい実施の形態では、二つのインサート１０１−１０２の選択は約４０°〜約７０°、一層好ましくは約４５°〜約６０°のライ角及び約５°〜約４０°、一層好ましくは約７°〜約１５°のロフト角を選択できる。
【００３６】
図１を参照して、クラブヘッド１０３にインサート１０１−１０２を取付ける方法について説明する。本発明の例示した実施の形態では、インサート１０１−１０２はそれらのそれぞれの適位置に接合される。接着剤、溶着などのような任意の形式の接合方法及び装置を使用できる。一つの実施の形態では、インサート１０１−１０２の外方部分は接着剤でカバーされる。当業者には認められるように、任意の種類の接着剤を用いることができる。インサート１０１−１０２はクラブヘッド１０３に挿入され、固定される。
【００３７】
別の実施の形態では、インサート１０１−１０２は“ロック及びキー”システムに基づいてクラブヘッド１０３に取付けできる。この実施の形態では、インサート１０１−１０２は、例えば予定の寸法及び形状をもつ平坦でない突起を備えて設計される。各それぞれのインサート１０１−１０２を受けるクラブヘッドの部分は平坦でない突起に対する受けシャフトを備えることができる。平坦でない突起をクラブヘッド１０３の受けシャフト内に摺動させることによって、インサート１０１−１０２を適位置にロックすることができる。これらの例は、クラブヘッドにホーゼルインサートを接続する概念を例示しているが、当業者に認められるように、本発明の範囲から逸脱することなしにクラブヘッドにインサートを接続する幾つかの代わりの方法がある。
【００３８】
以上説明してきたように、インサートをクラブヘッドに作業的に接続できる一つの仕方は接着剤を用いている。同様にして、接着剤を用いてクラブシャフト１０４をインサート１０１−１０２に取付けできる。しかし、インサート１０１−１０２をクラブヘッド１０３に取付けるために用いた方法は、クラブシャフト１０４をインサート１０１−１０２に取付けるのに用いた方法と同じではない。当業者に認められるように、インサート１０１−１０２をクラブヘッド１０３に取付けるために又はクラブシャフト１０４をインサート１０１−１０２に取付けるために任意の方法又は装置を用いることができる。
【００３９】
別の例示した実施の形態では、クラブシャフトはジンバルアタッチメントに通すことができる。クラブシャフトは、上記で説明したように、接着剤を用いてジンバルアタッチメントに取付けられる。ジンバルアタッチメントはクラブシャフトの端部から予定の距離に配置される。この距離は、クラブシャフトが少なくともクラブヘッドを貫通してソールに達するように選択されるべきである。ジンバルアタッチメントはインサート１０１に取付けられる。ジンバルアタッチメントを用いることによって、任意所望のライ角及びロフト角を得ることができる。所望のライ角及びロフト角が得られると、クラブヘッドを通ってソールに達するクラブシャフトの部分は第２のインサート１０２に取付けられる。任意には、クラブヘッドは上記で説明したように第１のインサートに取付けられる。種々の部品は上記で説明した方法を用いて互いに取付けられる。
【００４０】
特定の実施の形態について本発明を説明してきたが、当業者には理解されるように、本発明は特許請求の範囲の精神内で種々の代わりの実施の形態が可能である。
【図面の簡単な説明】
【００４１】
【図１】本発明の第１の実施の形態を示す図。
【図２】本発明の第２の実施の形態を示す図。
【符号の説明】
【００４２】
１０１：インサート
１０２：インサート
２０１：インサート
２０２：インサート
１０３：ゴルフクラブヘッド
２０３：ゴルフクラブヘッド
１０４：クラブシャフト
２０５：クラブシャフト
【図１】
2004305747.tif 000003
【図２】
2004305747.tif 000004